(57)【要約】    【課題】  目線の低いユーザーにおいても原稿を正しくセットすることのできる画像読取装置を提供する。    【解決手段】    画像読取装置であって、読み取るべき原稿を載置する原稿台と、画像読取装置の筐体の外壁に設けられた、画像読取装置の内部を介して前記原稿台に載置された原稿の載置位置を確認することのできるの視認窓とを有する。【選択図】  図２
2005109663.tif 000002
【特許請求の範囲】
【請求項１】
画像読取装置であって、
読み取るべき原稿を載置する原稿台と、
前記画像読取装置の筐体の外壁に設けられた、前記画像読取装置の内部を介して前記原稿台に載置された原稿の載置位置を確認することのできるの視認窓と、を有することを特徴とする画像読取装置。
【請求項２】
前記視認窓から確認可能であり、原稿を載置する位置の基準となる原稿位置合わせ基準部を設けたことを特徴とする請求項１に記載の画像読取装置。
【請求項３】
前記筐体の外壁は、前記筐体の側面であることを特徴とする請求項１に記載の画像読取装置。
【請求項４】
前記筐体の外壁は、前記筐体の底面であることを特徴とする請求項１に記載の画像読取装置。
【請求項５】
前記視認窓から確認可能であり、原稿の載置された位置及び前記原稿位置合わせ基準部を映す鏡を設けたことを特徴とする請求項３又は４に記載の画像読取装置。
【請求項６】
前記鏡は、原稿を読み取った原稿反射光を反射させる鏡であることを特徴とする請求項５に記載の画像読取装置。
【請求項７】
請求項１乃至６のいずれか一に記載の画像読取装置を備えたことを特徴とする画像形成装置。
【発明の詳細な説明】
【技術分野】
【０００１】
本発明は、画像読取装置に関する。
【背景技術】
【０００２】
車椅子のユーザーや目線の低いユーザーにとって、従来の複写機は必ずしも使い勝手の良いものではなかった。例えば、車椅子の使用者や目線の低いユーザーが、図８に示すような一般的な構成の複写機８０を使用する場合、複写機８０は画像読取部８１が画像形成部８２の上に位置する構造であるため、原稿を原稿サイズ指標板に合わせて原稿ガラス上に正しくセットすることは、原稿サイズ指標板を目視することができないため困難であった。そこで、このような問題を解決するため、以下の(１)〜(３)に示すような複写機が提案されている。
【０００３】
(１)画像読取部を画像形成部上において、水平移動自在に構成し、例えば、ユーザーが車椅子の使用者の場合、画像読取部を手前に引き出すことで、画像読取部を胸元に近づけることができ、さらに、画像読取部を引き出すことによってできた下方空間に足を収容することにより原稿のセットを容易に行えるようにした複写機がある(例えば、特許文献１参照。)。
【０００４】
(２)自動原稿送り装置を有する複写機において、自動原稿送り装置の原稿積載部材であるトレイ上の原稿が斜行して搬送されることを防止するために設けられた規制ガイド板を原稿サイズに合わせて調整する調整レバーと、その操作目安となる原稿サイズ指標板をトレイの側面に設けることにより、比較的目線の低いユーザーでも、規制ガイド板を適切に調整することができる複写機がある(例えば、特許文献２参照。)。
【０００５】
(３)原稿カバーを閉じた状態において原稿ガラスと対面する位置に設けられたパットの、原稿カバーを開けた状態で下側にあたる位置に原稿サイズ指標板を設けたことにより、原稿カバーを開けた状態において、原稿サイズ指標板が原稿載置面よりも高い位置にあるため、目線の低いユーザーが原稿サイズ指標板を目視することを可能にした複写機がある(例えば、特許文献２参照。)。
【０００６】
【特許文献１】特開平６−１９００６号公報
【０００７】
【特許文献２】特開平６−１５６７５１号公報
【発明の開示】
【発明が解決しようとする課題】
【０００８】
しかし、上記(１)に記載の複写機においては、原稿載置面よりもユーザーの目線が高い場合には有効であるが、原稿載置面よりもユーザーの目線が低い場合には、画像読取部を引き出しても原稿サイズ指標板を目視することは不可能である。また、重量のある画像読取部を車椅子の使用者等が引き出すことはかなりの労力を必要とし、使い勝手が悪い。
【０００９】
また、上記(２)に記載の複写機では、自動原稿送り装置を使用することを前提としているため、自動原稿送り装置を有するある程度高価な複写機に限定されてしまう。
【００１０】
さらに、上記(３)に記載の複写機は、原稿サイズ指標板の目視は可能であるが、原稿が正しくセットされたかを確認することは目線の低いユーザーにとっては難しい。
【００１１】
本発明の目的は、係る問題点を解消し、簡単な構成でかつ車椅子の使用者や目線の低いユーザーであっても、原稿を正しくセットすることのできる画像読取装置を提供することである。
【課題を解決するための手段】
【００１２】
上記目的を達成するための具体的手段として、請求項１に係る本発明は、画像読取装置であって、読み取るべき原稿を載置する原稿台と、画像読取装置の筐体の外壁に設けられた、画像読取装置の内部を介して原稿台に載置された原稿の載置位置を確認することのできるの視認窓とを有することを特徴とする。
【００１３】
請求項２に係る本発明は、請求項１の画像読取装置において、視認窓から確認可能であり、原稿を載置する位置の基準となる原稿位置合わせ基準部を設けたことを特徴とする。
【００１４】
請求項３に係る本発明は、請求項１の画像読取装置において、筐体の外壁は、筐体の側面であることを特徴とする。
【００１５】
請求項４に係る本発明は、請求項１の画像読取装置において、筐体の外壁は、筐体の底面であることを特徴とする。
【００１６】
請求項５に係る本発明は、請求項３又は４の画像読取装置において、視認窓から確認可能であり、原稿の載置された位置及び原稿位置合わせ基準部を映す鏡を設けたことを特徴とする。
【００１７】
請求項６に係る本発明は、請求項５の画像読取装置において、鏡は、原稿を読み取った原稿反射光を反射させる鏡であることを特徴とする。
【００１８】
請求項７に係る本発明は、画像形成装置に請求項１乃至６のいずれか一に記載の画像読取装置を備えたことを特徴とする。
【発明の効果】
【００１９】
本発明に係る画像読取装置は、画像読取装置の筐体の外壁に当該画像読取装置の内部を介して原稿の載置された位置を確認することのできる視認窓を設けたことにより、目線の低いユーザーでも視認窓を介して原稿の載置位置を確認することができ、原稿を正しくセットすることができる。
【発明を実施するための最良の形態】
【００２０】
＜実施例１＞
以下、本発明の実施の形態について添付図面を参照して説明する。図１は、本発明の第１の実施の形態に係る画像読取装置１の概略構成図である。以下に画像読取装置１の構成及び動作について概略説明する。画像読取装置１は、原稿２を載置する原稿ガラス３、原稿２を照射する露光ランプ４、原稿２からの反射光を折り返す第１ミラー５、第２ミラー６、第３ミラー７、反射光を集光するレンズ８、集光された光を電気信号に変換するＣＣＤセンサ９(露光ランプ４〜ＣＣＤセンサ９を読取手段とする)、変換された電気信号に各種処理を行う画像処理部１０から構成される。
【００２１】
画像読取装置１における原稿２の読み取り動作を以下に示す。露光ランプ４及び第１ミラー５からなる第１スライダーと、第２ミラー６及び第３ミラー７からなる第２スライダーを図中矢印方向に移動させつつ露光ランプ４により原稿２を照射することにより、ＣＣＤセンサ９に入射した原稿反射光は、ＣＣＤセンサ９によりレッド、グリーン、ブルーの電気信号に変換され、画像処理部１０において、Ａ／Ｄ変換によりアナログ信号からレッド、グリーン、ブルーの８ビットのデジタル信号からなる画像データに変換され、パーソナルコンピュータやプリンタ等に出力される。
【００２２】
図２は、画像読取装置１の外観を示す図である。図２に示すように画像読取装置１には、その前面中央部に視認窓であるのぞき窓１１が設けられている。のぞき窓１１は、画像読取装置１の筐体の外壁の一部に孔を開けたものであり、のぞき窓１１から画像読取装置１の内部を介して原稿ガラス３上を確認できるようにしたものである。尚、のぞき窓１１は、ほこり等の侵入を防止するため、その外側をガラス等により保護するようにするのが望ましい。
【００２３】
図３に示すように、原稿載置面上を目視することのできない目線の低いユーザーが、のぞき窓１１をのぞくことにより原稿２の載置された位置を確認することができる。
【００２４】
図４は、原稿ガラス３をのぞき窓１１を介して見た図であり、原稿位置合わせ基準部として原稿サイズ指標板１２ａが画像読取装置１の内部にも設けられてある。これにより、ユーザーはのぞき窓１１を介して原稿２を原稿サイズ指標板１２ａに合わせてセットすることが可能である。また、原稿位置合わせ基準部は上記の例に限らず、図５に示すように原稿ガラス３上に各種サイズの用紙を規定する位置に目印１２ｂを設けることで原稿２が正しくセットされたかを確認できるようにしても良い。さらに、原稿ガラス３に原稿２をあてこむことのできるスケールを設けても良い。
【００２５】
尚、以上のような原稿位置合わせ基準部によると、原稿２が正しくセットされたかを確認するために、ユーザーは必ずしも原稿２全体を確認する必要はなく、原稿位置合わせ基準部のみを確認すれば良い。
【００２６】
さらに、のぞき窓１１の形状、大きさ及びのぞき窓１１を設ける位置は、原稿及び原稿位置合わせ基準部が確認できるように、それぞれの画像読取装置に応じて設計されれば良い。
【００２７】
＜実施例２＞
次に、図６を参照して本発明の第２の実施形態について説明する。第２の実施形態における画像読取装置１の構成は、第１の実施形態の画像読取装置とほぼ同様であるが、のぞき窓１１を画像読取装置１の前面ではなく底面に設け、さらに、のぞき窓１１にミラー１１ｍを設けた点で異なる。
【００２８】
図６に示すように、ユーザーはのぞき窓１１からミラー１１ｍを介して原稿及び原稿位置合わせ基準部を確認することができる。尚、本第２の実施の形態によれば、ユーザーはのぞき窓１１に目線を合わせる必要がないため、無理なく原稿２の載置された位置を確認することができる。
【００２９】
尚、ミラー１１ｍは、のぞき窓１１に対してある一定の角度で固定しても、変更可能に設けても良い。
【００３０】
さらに、のぞき窓１１及びミラー１１ｍの形状、大きさ及びのぞき窓１１及びミラー１１ｍを設ける位置及び角度等は、原稿及び原稿位置合わせ基準部が確認できるように、それぞれの画像読取装置に応じて設計されれば良い。
【００３１】
＜実施例３＞
次に、図７を参照して本発明の第３の実施形態について説明する。第２の実施形態における画像読取装置１の構成は、第１の実施形態の画像読取装置とほぼ同様であるが、のぞき窓１１を画像読取装置１の前面ではなく側面に設けた点で異なる。
【００３２】
図７に示すように、ユーザーはのぞき窓１１から第１ミラー５を介して原稿位置合わせ基準部を確認することができる。尚、本第３の実施の形態によれば、新たにミラーを設ける必要がなく、本来、画像読取装置１の備える第１ミラー５を利用することにより原稿位置合わせ基準部を確認することができる。
【００３３】
さらに、のぞき窓１１の形状、大きさ及びのぞき窓１１を設ける位置は、第１ミラー５の形状、大きさ及び設置位置を考慮して原稿位置合わせ基準部が確認できるように、それぞれの画像読取装置に応じて設計されれば良い。また、使用するミラーは第１ミラーに限らず、第２ミラー６または第３ミラー７でも良い。
【００３４】
尚、本発明は、デジタル画像読取装置に限定されたものではなく、アナログ画像読取装置(例えば、アナログ複写機の画像読取部)にも適用可能である。
【００３５】
さらに、以上において説明した本発明に係る画像読取装置は、画像読取装置単体或いは、複写機等の画像形成装置の画像読取部としても使用可能である。
【図面の簡単な説明】
【００３６】
【図１】本発明の一実施形態である画像読取装置１の構成断面図である。
【図２】画像読取装置１の外観を示す図である。
【図３】画像読取装置１の前面に設けられたのぞき窓１１から原稿２の載置された位置を確認する様子を示した図である。
【図４】原稿位置合わせ基準部として画像読取装置１内部に設けられた原稿サイズ指標板１２ａを示す図である。
【図５】原稿位置合わせ基準部として原稿ガラス３上に設けられた各種サイズの用紙を規定する目印１２ｂを示した図である。
【図６】画像読取装置１の底面に設けられたのぞき窓１１からミラー１１ｍを介して原稿２の載置された位置を確認する様子を示した図である。
【図７】画像読取装置１の側面に設けられたのぞき窓１１から第１ミラー５を介して原稿２の載置された位置を確認する様子を示した図である。
【図８】従来の複写機８０を示す図である。
【符号の説明】
【００３７】
１；画像読取装置
２；原稿
３；原稿ガラス
４；露光ランプ
５；第１ミラー
６；第２ミラー
７；第３ミラー
８；レンズ
９；ＣＣＤセンサ
１０；画像処理部
１１；のぞき窓
１１ｍ；ミラー
１２ａ；原稿サイズ指標板
１２ｂ；目印
【図１】
2005109663.tif 000003
【図２】
2005109663.tif 000004
【図３】
2005109663.tif 000005
【図４】
2005109663.tif 000006
【図５】
2005109663.tif 000007
【図６】
2005109663.tif 000008
【図７】
2005109663.tif 000009
【図８】
2005109663.tif 000010